(57)【要約】【課題】  映像コンテンツのダイジェスト再生において、映像コンテンツのジャンルに関わらずコンテンツの特徴を抽出したダイジェスト再生や、ストーリー性のある映像コンテンツの場合にストーリー性を保持したダイジェスト再生をする。【解決手段】  映像コンテンツが連続ドラマなどの場合、第ｎ−１回目コンテンツでは、第ｎ−１回目本編部２０２ａとその後に第ｎ回目予告部２０２ｂが、そして第ｎ回目コンテンツでは、第ｎ回目本編部２０３ａと第ｎ＋１回目予告部２０３ｂが放送されるので、第ｎ回目予告部２０２ｂと、それに対応する第ｎ回目本編部２０３ａとを関連付けるメタデータを作成して保存しながら録画し、さらに第ｎ回目予告部２０２ｂや第ｎ＋１回目予告部２０３ｂなどの番組予告部で構成されたプレイリストやコンテンツを自動的に作成する。そしてそれらのプレイリストやコンテンツをダイジェスト再生に利用する。【選択図】      図２
2010062870.tif 000002
【特許請求の範囲】
【請求項１】
複数の映像コンテンツが録画された記録媒体から任意の映像コンテンツを読み出して再
生する機能を有する映像記録再生装置において、
前記録画された複数の映像コンテンツそれぞれに含まれる番組予告部を抽出する予告部抽
出手段と、
前記予告部抽出手段により抽出された複数の番組予告部を所定の順序で連続して再生する
再生手段と、
を有することを特徴とする映像記録再生装置。
【請求項２】
前記再生手段によって再生される複数の番組予告の映像は、ユーザによる操作によらず
に所定の再生順序となることを含むことを特徴とする請求項１記載の映像記録再生装置。
【請求項３】
前記予告部抽出手段は、前記録画された映像コンテンツの音声や映像の特徴を分析して
特定された番組予告部を抽出することを含むことを特徴とする請求項２記載の映像記録再
生装置。
【請求項４】
前記抽出された複数の番組予告部で構成されて、前記複数の番組予告部を所定の順序で
連続して再生するためのプレイリストを作成するプレイリスト作成手段を有し、前記再生
手段は、前記プレイリスト作成手段にて作成されたプレイリストに基づいて再生すること
を含むことを特徴とする請求項３記載の映像記録再生装置。
【請求項５】
前記再生手段は、前記予告部抽出手段により抽出された複数の番組予告部を、所定の順
序で連続して再生するためにコピーして集約した映像コンテンツを再生することを含むこ
とを特徴とする請求項３記載の映像記録再生装置。
【請求項６】
前記番組予告部にある特定の画像の特徴量は、前記番組予告部を含んで録画された映像
コンテンツとは異なる、別の映像コンテンツに含まれる番組本編部にある特定の画像の特
徴量と同一であり、前記番組本編部を含む映像コンテンツを録画しながら、前期同一の特
徴量の画像があるシーンの録画開始からの経過時間などのメタデータを、前記番組予告部
と関連付けて保存することを特徴とする請求項４または請求項５に記載の映像記録再生装
置。
【請求項７】
複数の映像コンテンツが録画された記録媒体から任意の映像コンテンツを読み出して再
生する機能を有する映像記録再生方法において、
前記録画された複数の映像コンテンツそれぞれに含まれる番組予告部を抽出し、
前記抽出された複数の番組予告部を所定の順序で連続して再生するステップを有すること
を特徴とする映像記録再生方法。
【請求項８】
前記抽出された複数の番組予告部で構成されて、前記複数の番組予告部を所定の順序で
連続して再生するためのプレイリストを作成し、前記再生するステップは、前記作成され
たプレイリストに基づいて再生することを含むことを特徴とする請求項７記載の映像記録
再生方法。
【請求項９】
前記再生するステップは、前記抽出された複数の番組予告部を、所定の順序で連続して
再生するためにコピーして集約した映像コンテンツを再生することを含むことを特徴とす
る請求項７記載の映像記録再生方法。
【発明の詳細な説明】
【技術分野】
【０００１】
本発明は、録画されたコンテンツを再生する機能を有する映像記録再生装置および映像記
録再生方法に関する。
【背景技術】
【０００２】
放送番組受信やネットワーク経由のダウンロード、または外部機器からの入力などによ
り取得される映像コンテンツを、ＨＤＤ（Hard  Disc  Drive；ハードディスクドライブ
）といった記録媒体に保存して、その中から任意のコンテンツを選択して視聴する機能を
持つＨＤＤレコーダなどの映像記録再生装置は、近年、記録媒体の容量増加のために多く
の映像コンテンツを記録して再生することができるようになっている。
【０００３】
また、従来のようにリアルタイムで映像コンテンツを視聴するのではなく、予約録画に
よって映像コンテンツを記録媒体に保存しておいて、保存後にユーザの時間の都合に合わ
せて視聴するといった視聴スタイルが多くなってきている。
【０００４】
そして、このような視聴スタイルで大量の映像コンテンツを視聴する場合には、その映
像コンテンツの全てを視聴するのではなく、特徴のある映像部を抜き出してその映像コン
テンツの要点シーンを再生するダイジェスト再生を行うことで時間を短縮した再生手法が
考案されている。
【０００５】
例えば特許文献１では、映像コンテンツ内のテロップを検出することでその映像コンテ
ンツの特徴のある映像部を特定して、要点シーンを抽出する手法が開示されている。
【特許文献１】特開２００７−１０４２８４公報（図２  段落番号００２１）
【発明の開示】
【発明が解決しようとする課題】
【０００６】
ところが単に特徴のある映像部を抜き出して、その映像コンテンツの要点シーンをダイ
ジェスト再生する手法では、映像コンテンツのジャンルに関わらずコンテンツの特徴を抽
出したダイジェスト再生や、ドラマのようにストーリー性のある映像コンテンツの場合に
ストーリー性を保持したダイジェスト再生をすることは困難であった。
【課題を解決するための手段】
【０００７】
本発明は上述したような課題を解決するため、複数の映像コンテンツが録画された記録媒
体から任意の映像コンテンツを読み出して再生する機能を有する映像記録再生装置におい
て、前記録画された複数の映像コンテンツそれぞれに含まれる番組予告部を抽出する予告
部抽出手段と、前記予告部抽出手段により抽出された複数の番組予告部を所定の順序で連
続して再生する再生手段と、を有することを特徴とするものである。
【０００８】
また本発明は上述した課題を解決するため、前記再生手段によって再生される複数の番
組予告の映像は、ユーザによる操作によらずに所定の再生順序となることを含むことを特
徴とするものである。
【０００９】
また本発明は上述した課題を解決するため、前記予告部抽出手段は、前記録画された映
像コンテンツの音声や映像の特徴を分析して特定された番組予告部を抽出することを含む
ことを特徴とするものである。
【００１０】
また本発明は上述した課題を解決するため、前記抽出された複数の番組予告部で構成さ
れて、前記複数の番組予告部を所定の順序で連続して再生するためのプレイリストを作成
するプレイリスト作成手段を有し、前記再生手段は、前記プレイリスト作成手段にて作成
されたプレイリストに基づいて再生することを含むことを特徴とするものである。
【００１１】
また本発明は上述した課題を解決するため、前記再生手段は、前記予告部抽出手段によ
り抽出された複数の番組予告部を、所定の順序で連続して再生するためにコピーして集約
した映像コンテンツを再生することを含むことを特徴とするものである。
【００１２】
また本発明は上述した課題を解決するため、前記番組予告部にある特定の画像の特徴量
は、前記番組予告部を含んで録画された映像コンテンツとは異なる、別の映像コンテンツ
に含まれる番組本編部にある特定の画像の特徴量と同一であり、前記番組本編部を含む映
像コンテンツを録画しながら、前期同一の特徴量の画像があるシーンの録画開始からの経
過時間などのメタデータを、前記番組予告部と関連付けて保存することを特徴とするもの
である。
【発明の効果】
【００１３】
本発明によれば、複数の番組予告部を所定の順序で連続して再生するので、ジャンルに
関わらずコンテンツの特徴が抽出されたダイジェスト再生や、コンテンツのストーリー性
を保持したダイジェスト再生が可能になる。
【発明を実施するための最良の形態】
【００１４】
以下、本発明における実施形態について図面を用いて説明する。
（第１の実施形態）
まず初めに、本実施形態による映像記録再生装置であるＨＤＤレコーダの第１の実施形
態として、本発明の特徴である、番組予告部を所定の順序で連続して再生するダイジェス
ト再生に適した、番組予告部で構成されたプレイリストの自動作成処理を含む、コンテン
ツ録画処理について、図１、図２、図４を用いて説明する。
【００１５】
なお、本実施形態による映像記録再生装置はＨＤＤレコーダだけでなく、以下に示す動
作を行うことが可能な映像記録再生装置である、ＤＶＤレコーダやテレビ受像機、コンピ
ュータ装置だけでなく、または携帯可能な情報端末であってもよい。
【００１６】
図１は、本実施形態による映像記録再生装置であるＨＤＤレコーダのシステム構成を示
す図である。
図１に示すようにＨＤＤレコーダ１０は、デジタル放送波選局のためのデジタルチュー
ナ部１０１と、アナログ放送波選局のためのアナログチューナ部１０２と、外部機器から
アナログ映像音声信号を入力するためのＡ／Ｖ入力部１０３と、ユーザが装置を操作する
ための操作部１１９と、図示していないリモコンからの操作信号を受光するための受光部
１２０と、外部へ通知すべき装置の動作状況などの情報を表示する表示部１２１と、図示
された各部を制御バス１１８を通して制御する制御部１１７などを備えている。
【００１７】
デジタルチューナ部１０１は、図示していない第１のアンテナ部で受信したデジタル放
送信号が供給され、制御部１１７によって設定された所望のチャンネルの放送信号を選局
して復調・復号部１０４へ出力する。
【００１８】
復調・復号部１０４はデジタルチューナ部１０１で選局された放送信号に対して、放送
波種別ごとに必要となる復調（ＯＦＤＭ（Orthogonal  Frequency  Division  Multiplex
ing）、ＰＳＫ（Phase  Shift  Keying））や復号（ビタビ、ＲＳ（Reed-Solomon））な
どの処理を行い、ＴＳ（トランスポートストリーム）信号を信号処理部１０８へ出力する
。
【００１９】
また、アナログチューナ部１０２は、図示していない第２アンテナ部で受信したアナロ
グ放送信号が供給され、制御部１１７によって設定された所望のチャンネルの放送信号を
選局して復調部１０５へ出力する。
【００２０】
復調部１０５はアナログチューナ部１０２で選局された放送信号に対して復調処理を行
う。
また、Ａ／Ｖ入力部１０３を通して入力された外部機器からのアナログ映像音声信号と
、復調部１０５から出力される映像音声信号は、セレクタ１０６に入力され、制御部１１
７からの制御信号によりどちらかが選択されてＡＤＣ部１０７へ出力される。
【００２１】
そしてＡＤＣ部１０７は、入力された信号をＡ／Ｄ変換して信号処理部１０８へ出力す
る。
ところでユーザは、操作部１１９や図示していないリモコンによる操作によって、所望
の放送チャンネルや信号源の選択を行うことができる。
ユーザによって選択された信号源や放送チャンネルの情報は、操作部１１９や受光部１
２０から制御バス１１８を通して制御部１１７へ出力され、その情報に応じて信号源の選
択や放送波の選局動作が行われることで、ユーザ所望の信号源や放送チャンネルが選択さ
れて信号処理される。
【００２２】
なお通信Ｉ／Ｆ部１２２は、ＬＡＮなどのネットワーク手段であり、図示していないネ
ットワーク接続された機器やサーバー装置から映像コンテンツを取得することが可能であ
る。
【００２３】
またカードＩ／Ｆ部１２３は、デジタル放送受信のための図示していないＢ−ＣＡＳカ
ードを接続するためのものや、記録装置である図示していないメモリカードを接続するた
めのものなどを複数備えていて、メモリカードを接続した場合には、制御バス１１８を通
して映像コンテンツをやりとりすることが可能である。
【００２４】
またＵＳＢＩ／Ｆ部１２４は、ＵＳＢ規格の端子を備えており、同様にＵＳＢ端子を備
えた図示していないＨＤＤ装置などの外部機器と制御バス１１８を通して映像コンテンツ
をやりとりすることが可能である。
【００２５】
さらにＩＥＥＥ１３９４Ｉ／Ｆ部１２５は、図示していないＤＶ端子を備えており、カ
メラ等の外部機器から映像コンテンツを取得することが可能である。
従ってユーザは、操作部１１９や図示していないリモコンによる操作によって、これら
各部に接続された機器や装置を信号源として同様に選択することも可能である。
【００２６】
信号処理部１０８は、データを圧縮して符号化するエンコーダ１０８ａと、圧縮された
データを復号化するデコーダ１０８ｂと、信号処理部１０８の内部および外部とのデータ
処理を行うデータ処理部１０８ｃなどを備えている。
【００２７】
すなわち信号処理部１０８は、制御部１１７によって制御され、エンコーダ１０８ａは
、前述のＡＤＣ部１０７などから入力された信号に対してＭＰＥＧ符号化演算処理を行い
、デコーダ１０８ｂは、前述の復調・復号部１０４などから入力された信号に対してＭＰ
ＥＧ復号化演算処理をして音声処理部１１２や映像処理部１１０へ出力し、データ処理部
１０８ｃは、信号処理部１０８内部のエンコーダ１０８ａやデコーダ１０８ｂと外部の各
部とのデータのやりとりやデータのフォーマット化などのデータ処理を行う。
【００２８】
またＯＳＤ信号生成部１０９は、制御部１１７に制御されて、信号処理部１０８から出
力された映像信号と併せて映像処理部１１０へＯＳＤ信号を出力する。
そして信号処理部１０８でデータを保存するためのフォーマットに符号化された信号は
、データ転送制御部１１４によって記録媒体に記録するために最適な転送処理がなされて
、光ディスクドライブ１１６やＨＤＤ１１５へ記録されて保存される。
【００２９】
ここでＨＤＤ１１５は、記録コンテンツのデータやプレイリストなどを保存するコンテ
ンツ保存部１１５ａと、記録コンテンツに関連するメタデータを保存するメタデータ保存
部１１５ｂなどを備えていて、これらの詳細な説明は後述する。
【００３０】
なお記録媒体としては、光ディスクドライブ１１６やＨＤＤ１１５だけでなく、前述し
たカードＩ／Ｆ部１２３に接続されたメモリカードや、ＵＳＢＩ／Ｆ部１２４に接続され
たＨＤＤ装置などを選択することも可能である。
【００３１】
さらに、前述した信号処理部１０８から出力された音声信号は、制御部１１７の制御に
よって、音声処理部１１２でアナログ信号や図示していないＨＤＭＩ規格に準拠したデジ
タル信号などに変換されて音声出力部１１３へ出力される。
【００３２】
そして音声出力部１１３は、図示していない外部接続されたアナログ音声入力部やＨＤ
ＭＩ端子を備えたテレビ受像機やＡ／Ｖアンプなどの装置の信号入力部へと出力される。
【００３３】
また前述した信号処理部１０８から出力された映像信号は、制御部１１７の制御によっ
て、映像処理部１１０でアナログ信号や図示していないＨＤＭＩ規格に準拠したデジタル
信号などに変換されて映像出力部１１１へ出力される。
【００３４】
そして映像出力部１１１は、図示していない外部接続されたアナログ映像入力部やＨＤ
ＭＩ端子を備えたテレビ受像機やＡ／Ｖアンプなどの装置の信号入力部へと出力される。
【００３５】
これまでに説明した制御部１１７は、演算実行部であるＣＰＵ１１７ａを有し、ＣＰＵ
１１７ａがＨＤＤレコーダ１の動作を制御するために実行するプログラムデータを予め記
憶するＲＯＭ１１７ｂと、ＣＰＵ１１７ａのワークメモリとして使用され、本実施形態に
おいては、後述する画像の特徴量を抽出する際の演算処理や、ユーザによって指定された
一致画像データを検出する際の一時記憶などのワークメモリとして使用されるＲＡＭ１１
７ｃなどを備えている。
【００３６】
さらには、プレイリストを作成するプレイリスト作成手段１１７ｄと、映像コンテンツ
の中から番組予告部を抽出する予告部抽出手段１１７ｅと、任意の画像の特徴量を抽出す
る特徴量抽出手段１１７ｆと、任意の映像を検出する映像検出手段１１７ｇ、プレイリス
トに基づいた映像やコンテンツの映像を再生する図示していない再生手段などを備えてい
て、これらの詳細な説明は後述する。
【００３７】
ところで、図１のデジタルチューナ部１０１やアナログチューナ部１０２で選局された
放送波による放送番組や、同じく図１の通信Ｉ／Ｆ部１２２を経由したネットワークによ
って配信される映像コンテンツには、連続したストーリーが複数のコンテンツに分けられ
た連続ドラマや、様々なジャンルの映画、特定のテーマに沿った様々な情報を収集した情
報系番組など、毎週定められた時間帯に翌週の番組予告を伴って放送されるものがある。
【００３８】
例えば図２に示した形態のような連続ドラマの場合には、第１回目コンテンツには第１
回目本編部２１０ａが放送され、その後に、翌週の同じ時間帯に同じ放送チャンネルで視
聴することができる第２回目本編部の予告である第２回目予告部２０１ｂが放送される。
同様に第ｎ−１回目コンテンツでは、第ｎ−１回目本編部２０２ａとその後に第ｎ回目予
告部２０２ｂが、そして第ｎ回目コンテンツでは、第ｎ回目本編部２０３ａの後に第ｎ＋
１回目予告部２０３ｂが放送される。
【００３９】
さらに図２では、本第１の実施形態によるコンテンツ録画処理における、番組本編部と
番組予告部とを含む録画された映像コンテンツの映像と、番組予告部で構成されたプレイ
リストの映像の、それぞれに含まれる特定シーンの関連を示している。
【００４０】
また図４は、本第１の実施形態による番組予告部で構成されたプレイリストの自動作成
処理を含んだ、コンテンツ録画処理のフローチャートを示す図である。
なお本第１の実施形態における第ｎ回目コンテンツ録画処理は、コンテンツ録画処理を
しながら、第ｎ−１回目コンテンツに含まれる第ｎ回目予告部の中の特定シーンの画像の
特徴量を記憶しておき、前期予告部の中の特定シーンの画像の特徴量とのマッチング処理
を行って、該当するシーンを検出したら予告部の特定シーンとの関連付け処理を行い、さ
らに録画対象である第ｎ回目コンテンツの中のシーン切替部分を検出して、その部分の画
像の特徴量を記録する処理を行うものである。また、記録したコンテンツの中から番組予
告の映像部を検出して、新たなコンテンツを自動的に作成する処理を行うものである。
【００４１】
次に、本第1の実施形態の特徴である番組予告部を所定の順序で連続して再生するダイ
ジェスト再生に適した、番組予告部で構成されたプレイリストの自動作成処理を含む、コ
ンテンツ録画処理の詳細について、図４のフローチャートに従って以下に説明する。
【００４２】
第ｎ回目コンテンツの録画処理が開始されると、録画されている映像コンテンツのデー
タに対して、信号処理部１０８で保存に必要なフォーマット化を施して、データ転送制御
部１１４を介して、コンテンツ保存部１１５ａに保存する処理である録画処理を行いなが
ら、録画されている映像コンテンツのデータの中からシーン切替部分を映像検出手段１１
７ｇで検出するシーン切替部分検出処理を行う。（図４のＳ１０１）
【００４３】
そしてシーン切替部分を検出したら（Ｓ１０１のＹｅｓ）、そのシーン切替部分の静止
画像の特徴量を特徴量抽出手段１１７ｆにて抽出する処理を行う。（Ｓ１０２）
【００４４】
さらに抽出された特徴量と共に記録開始からの経過時間などのメタデータが、録画され
ているコンテンツの映像データと関連づけられたメタデータとしてメタデータ保存部１１
５ｂに保存される。（Ｓ１０３）
【００４５】
また映像データの中からシーン切替部分が検出されなかった場合（Ｓ１０１のＮｏ）は
、第ｎ回目コンテンツの録画処理の開始時点からカウントされる、一定フレームごとに得
られる静止画像の特徴量を特徴量抽出手段１１７ｆにて抽出する処理を行う。（Ｓ１０４
）
【００４６】
そして制御部１１７のワークメモリであるところのＲＡＭ１１７ｃに一時的に記憶され
た、第ｎ−１回目コンテンツの録画の際に得られた第ｎ回目予告部２０２ｂのシーン切替
部分の静止画像から抽出された第１の特徴量と、第ｎ回目コンテンツの録画において、検
出されたシーン切替部分の静止画像から抽出された、もしくは録画処理の開始時点からカ
ウントされる一定フレームごとの静止画像から抽出された第２の特徴量とを比較する処理
が行われる。（Ｓ１０５）
【００４７】
ここで、前述した第ｎ回目予告部２０２ｂに含まれる画像の第１の特徴量と、第ｎ回目
本編部２０３ａに含まれる画像の第２の特徴量との比較処理の結果、第１と第２の特徴量
が一致していると判断されたら（Ｓ１０６のＹｅｓ）、第１の特徴量の画像がある第ｎ回
目予告部２０２ｂのシーン切替部分の、第ｎ−１回目コンテンツ開始時点からの経過時間
情報や、第ｎ回目予告部開始時点からの経過時間情報などが、第２の特徴量の画像がある
第ｎ回目本編部２０３ａの対応シーンに関連づけられたメタデータとして、メタデータ保
存部１１５ｂに保存されると共に、第２の特徴量の画像がある第ｎ回目本編部２０３ａの
対応シーンの第ｎ回目コンテンツ開始時点からの経過時間情報などが、第１の特徴量の画
像がある第ｎ回目予告部２０２ｂのシーン切替部分に関連付けられたメタデータとして、
メタデータ保存部１１５ｂに保存される。（Ｓ１０７）
【００４８】
そして第ｎ回目コンテンツ録画処理の継続判断処理（Ｓ１０８）が行われ、継続する場
合には、これまでの説明と同様に、シーン切替部分検出処理によって得られる新たな静止
画像や、一定フレームごとに得られる新たな静止画像から、特徴量抽出処理によって抽出
された第３の特徴量と、既に録画されている第ｎ回目予告部のシーン切替部分の画像の第
４の特徴量との比較処理が行われる。（Ｓ１０８のＮｏ）
【００４９】
また、第ｎ回目予告部２０２ｂに含まれる画像の第１の特徴量と、第ｎ回目本編部２０
３ａに含まれる画像の第２の特徴量との比較処理の結果、両特徴量は同一ではないと判断
され（Ｓ１０６のＮｏ）ても、同様に第ｎ回目コンテンツ録画処理の継続判断処理（Ｓ１
０８）が行われる。
【００５０】
すなわち図１に示したシステム構成で、図２に示した形態のような連続ドラマを毎週定
められた時間帯に録画するこれまでの処理を時系列に説明すると、第ｎ回目コンテンツを
録画処理が開始すると、第ｎ回目予告部のシーン切替部分である、予告部シーン切替部分
Ａ２２１の静止画像の特徴量が、制御部１１７のワークメモリであるＲＡＭ１１７ｃに一
時的に記憶されていて、初めに第ｎ回目本編部２０３ａに存在するシーン切替部分Ａ２３
１が検出されると、検出されたシーン切替部分Ａ２３１の時間情報などがメタデータ保存
部１１５ｂに保存され、さらにそのシーンの静止画像の特徴量が抽出されて、予告部シー
ン切替部分Ａ２２１の静止画像の特徴量と比較される。
【００５１】
しかし比較結果は一致せずまた録画は継続されているので、録画時間の経過と共に、次
には一定フレーム毎に得られた静止画像である対応シーンＡ２３２が検出されて、検出さ
れた対応シーンＡ２３２の時間情報などがメタデータ保存部１１５ｂに保存され、さらに
そのシーンの静止画像の特徴量が抽出されて、予告部シーン切替部分Ａ２２１の静止画像
の特徴量と比較される。
【００５２】
そして比較結果が予告部シーン切替部分Ａ２２１と一致し、両シーンは関連付けられて
、対応シーンＡ２３２と予告部シーン切替部分Ａ２２１のお互いが属するコンテンツ内に
おける時間情報などがメタデータ保存部１１５ｂに保存される、といった処理が行われる
。
【００５３】
すなわち図２の実施形態においては、予告部シーン切替部分Ａ２２１と対応シーンＡ２
３２は同一の特徴量の画像であって、シーン切替部分Ａ２３１と同一の特徴量の画像は第
ｎ回目予告部には存在しない。
【００５４】
ところで第ｎ回目コンテンツの録画が終了した、すなわち、第ｎ回目コンテンツ録画処
理の継続判断処理（Ｓ１０８）で録画終了と判断された場合（Ｓ１０８のＹｅｓ）、コン
テンツ保存部１１５ａに保存された、これまで録画されていた第ｎ回目コンテンツのデー
タの中から、第ｎ＋１回目の予告を意味する映像データである第ｎ＋１回目予告部２０３
ｂを、予告部抽出手段１１７ｅにて抽出する処理が行われる。（Ｓ１０９）
【００５５】
予告部抽出手段１１７ｅは、例えば、録画しながら番組本編部とコマーシャル部との音
声信号や映像信号の特徴を分析して、番組本編部とコマーシャル部を検出する技術が公開
されており（特開2006-324771）、番組本編部を検出する前述の技術を利用したり、検出
された番組本編部の録画している映像コンテンツの中での存在時間などの情報を分析した
り、音声信号や映像信号における予告部固有の特徴の有無を分析したりすることによって
、実現することができる。
【００５６】
そして抽出された第ｎ＋１回目予告部２０３ｂは、第ｎ−１回目コンテンツまでの予告
部で構成されたプレイリスト２１２の最後に追加された構成である、第ｎ回目コンテンツ
までの予告部で構成されたプレイリスト２１３として、コンテンツ保存部１１５ａに保存
される。（Ｓ１１０）
【００５７】
つまり図２に示した形態のような連続ドラマを毎週定められた時間帯に録画する場合に
は、まず第１回目コンテンツの録画が終了すると、第１回目コンテンツに含まれる第２回
目予告部２０１ｂが抽出されて、第２回目予告部のみで構成された第１回目コンテンツま
での予告部で構成されたプレイリスト２１１が作成される。
【００５８】
そして第ｎ−１回目コンテンツの録画が終了すると、第ｎ−１回目コンテンツに含まれ
る第ｎ回目予告部２０２ｂが抽出されて、第２回目予告部から第ｎ−１回目予告部までで
構成されたコンテンツに第ｎ回目予告部２０２ｂが追加された、第ｎ−１回目コンテンツ
までの予告部で構成されたプレイリスト２１２が作成される。
【００５９】
さらに第ｎ回目コンテンツの録画が終了したときには、前述の（Ｓ１１０）に該当する
処理として、第ｎ回目コンテンツに含まれる第ｎ＋１回目予告部２０３ｂが抽出されて、
第１回目予告部から第ｎ−１回目予告部までで構成されたコンテンツに第ｎ回目予告部２
０２ｂが追加された第ｎ回目コンテンツまでの予告部で構成されたプレイリスト２１３が
作成される。
【００６０】
なお、前述の（Ｓ１０９）にて抽出された第ｎ＋１回目予告部２０３ｂは、自身が含ま
れて録画された第ｎ回目コンテンツとは異なる、第ｎ回目コンテンツまでの予告部で構成
された図示していないコンテンツとして、コピーして追加されてコンテンツ保存部１１５
ａに新規でまたは上書きで保存されてもよい。
【００６１】
すなわち抽出された第ｎ＋１回目予告部は、録画された複数の映像コンテンツの予告部
で構成されたプレイリストの一部として利用されてもよいし、録画された複数のコンテン
ツの予告部をコピーして集約したコンテンツの一部として利用されてもよい。
【００６２】
従って、以上説明したように本第１の実施形態によれば、番組本編の映像部に基づいた
番組予告部で構成されたプレイリストが自動的に作成されるので、番組本編のストーリー
を保持した番組本編のダイジェスト再生用コンテンツとして有効に利用することが可能で
ある。
【００６３】
（第２の実施形態）
次に、前述したコンテンツ録画処理において自動的に作成された、番組予告部で構成さ
れたプレイリストの再生処理に関する第２の実施形態を図３と図５を用いて説明する。
【００６４】
図３は、本第２の実施形態である、番組予告部で構成されたプレイリスト再生処理にお
ける、番組本編部と番組予告部とを含む録画された映像コンテンツの映像と、番組予告部
で構成されたプレイリストに基づいて再生される映像の、それぞれに含まれる特定シーン
の関連を示している。
【００６５】
なお図３においては、連続ドラマの第２回目コンテンツまでが録画された実施形態を示
している。
図５は、本第２の実施形態における、番組予告部に含まれる映像シーンと番組予告部に
対応する番組本編部に含まれる映像シーンとを関連付けた再生処理のフローチャートを示
す図である。
【００６６】
前述したように、コンテンツ録画処理において自動的に作成されたプレイリストは、録
画されたコンテンツに含まれる番組予告部で構成されていて、またその番組予告部に対応
する番組本編部は、コンテンツ録画処理において番組予告部のシーン切替部分の画像の特
徴量と比較されながら録画されていて、さらに番組予告部のシーン切替部分と番組本編部
の対応シーンはメタデータによって関連づけられているので、番組予告部で構成されたプ
レイリストに基づいた再生処理において、番組本編部の対応シーンと関連づけて再生する
ことが可能になる。
【００６７】
予告部で構成されたコンテンツの再生処理に関する第２の実施形態の詳細を、図５のフ
ローチャートに従って以下に説明する。
図３における、第１回目コンテンツに含まれる第２回目予告部３０１ｂと、第２回目コ
ンテンツに含まれる第３回目予告部３０２ｂからなる、第２回目コンテンツまでの予告部
で構成されたプレイリスト３１２に基づいて、図示していない再生手段によって番組予告
部を再生していて、第２回目予告部３０１ｂに含まれる本編再生指定シーンＡ３２１のタ
イミングで、図１の操作部１１９または図示していないリモコン上の、同じく図示してい
ない“本編該当シーン再生ボタン”が押された場合（図５のＳ２０１）は、第２回目予告
部３０１ｂに含まれ、本編再生指定シーンＡ３２１の直前にある予告部シーン切替部分Ａ
３２２を、映像検出手段１１７ｇにて検出する。（Ｓ２０２）
【００６８】
なお、本編再生指定シーンＡ３２１がシーン切替部分である場合には、その直前にある
シーン切替部分ではなく本編再生指定シーンＡ３２１自身を検出する。
そして予告部シーン切替部分Ａ３２２または本編再生指定シーンＡ３２１のどちらかは
、前述したように第２回目予告部３０１ｂに含まれるシーン切替部分であって、第２回目
コンテンツ録画処理において、録画された第２回目本編部３０２ａに含まれる画像と特徴
量の比較がなされ、お互いの画像に関連づけられたメタデータがメタデータ保存部１１５
ｂに保存されているので、予告部シーン切替部分Ａ３２２または本編再生指定シーンＡ３
２１に関連付けられた、第２回目本編部３０２ａに存在する対応シーンＡ３３１が、メタ
データを基に特定される。（Ｓ２０３）
【００６９】
さらにコンテンツ保存部１１５ａから、第２回目本編部３０２ａを含んだ第２回目コン
テンツが呼び出され（Ｓ２０４）、対応シーンＡ３３１が再生される。（Ｓ２０５）
【００７０】
なお、第２回目予告部３０１ｂに含まれ、シーン切替部分ではない本編再生指定シーン
Ｂ３２３の映像が表示されているタイミングで、“本編該当シーン再生ボタン”が押され
た場合は、その直前にあるシーン切替部分である予告部開始シーン３２４に関連付けられ
た、第２回目本編部３０２ａに存在する対応シーンＢ３３２が再生される。
【００７１】
ところで前述した説明において、第２回目コンテンツまでの予告部で構成されたプレイ
リスト３１２は、第２回目予告部３０１ｂと第３回目予告部３０２ｂをコピーして集約し
た図示していないコンテンツであってもよい。
【００７２】
以上説明したように本第２の実施形態によれば、前述した第１の実施形態にて作成され
たプレイリストやコンテンツが、番組本編部に対応した番組予告部で構成されているので
、ジャンルに関わらず番組本編の特徴が抽出されたダイジェスト再生したり、番組本編の
ストーリー性を保持したダイジェスト再生したりすることが可能となり、またダイジェス
ト再生処理において、番組予告のシーンに対応する番組本編のシーンの再生を容易に開始
することが可能となる。
【００７３】
（第３の実施形態）
次に、前述したコンテンツ録画処理において自動的に作成された、番組予告部で構成さ
れたプレイリストの再生処理に関する第３の実施形態を図３を用いて説明する。
【００７４】
図３における、第１回目コンテンツに含まれる第２回目予告部３０１ｂと、第２回目コ
ンテンツに含まれる第３回目予告部３０２ｂからなる、第２回目コンテンツまでの予告部
で構成されたプレイリスト３１２に基づいて、図示していない再生手段によって再生して
いて、第２回目予告部３０１ｂに含まれる本編再生指定シーンＡ３２１のタイミングで、
図１の操作部１１９または図示していないリモコン上の、同じく図示していない“本編該
当回再生ボタン”が押された場合は、前述したコンテンツの再生処理に関する第２の実施
形態と同様に、本編再生指定シーンＡ３２１の直前にある予告部シーン切替部分Ａ３２２
を検出し、または本編再生指定シーンＡ３２１がシーン切替部分である場合には本編再生
指定シーンＡ３２１を検出し、そのどちらかの映像に関連付けられた第２回目本編部３０
２ａに存在する対応シーンＡ３３１が、メタデータを基に特定される。
【００７５】
さらに対応シーンＡ３３１は、第２回本編部に含まれることがメタデータに記述されて
いるので、コンテンツ保存部１１５ａから、第２回目本編部３０２ａを含んだ第２回目コ
ンテンツを呼び出し、対応シーンＡ３３１を含んだ第２回目コンテンツの開始部からの再
生処理を行う。
【００７６】
ところで前述した説明において、第２回目コンテンツまでの予告部で構成されたプレイ
リスト３１２は、第２回目予告部３０１ｂと第３回目予告部３０２ｂをコピーして集約し
た図示していないコンテンツであってもよい。
【００７７】
なお、第２回目予告部３０１ｂに含まれる本編再生指定シーンＡ３２１のタイミングで
、図１の操作部１１９または図示していないリモコン上の、同じく図示していない“本編
該当回再生ボタン”が押された場合に、本編再生指定シーンＡ３２１は第２回目予告部に
含まれることがメタデータに記述されているので、メタデータを基に、コンテンツ保存部
１１５ａから、第２回目本編部３０２ａを含んだ第２回目コンテンツを呼び出し、例えば
本編再生指定シーンＡ３２１が第２回目本編部のシーンと関連づけられていない場合にお
いても、本編再生指定シーンＡ３２１を含んだ第２回目コンテンツの開始部からの再生処
理を行うことも可能である。また該当放送回が第２回目であることが判別されるので、そ
の前回放送回である第１回目コンテンツを呼び出して再生してもよい。
【００７８】
さらに図示していないが、第３回目コンテンツまでが録画されている場合においては、
コンテンツ保存部１１５ａから、第３回目本編部を含んだ第３回目コンテンツを呼び出し
て再生してもよい。
【００７９】
以上説明したように本第３の実施形態によれば、番組本編部に対応した番組予告部で構
成されたプレイリストやコンテンツは、番組本編部と番組予告部とがメタデータによって
関連付けられているので、ダイジェスト再生処理において、番組予告に対応する放送回の
番組本編もしくは対応する放送回前後の番組本編の開始部からの再生を開始することが可
能となる。
【００８０】
さらに、番組本編部に対応した番組予告部のシーン切替部分の静止画像が抽出され、番
組本編部に関連づけられたメタデータが保存されるので、対応する番組本編をサムネイル
表示する場合に、予告部のシーン切替部分の静止画像を利用することが可能となる。
【００８１】
なお本発明は、上述した実施形態に限定されるものではなく、本発明の要旨を変えない
範囲において、種々の変更、改変等が可能である。
【図面の簡単な説明】
【００８２】
【図１】本発明の一実施形態を示す映像記録再生装置のシステム構成図。
【図２】本発明の一実施形態を示すコンテンツ録画処理におけるコンテンツの構成を示す図。
【図３】本発明の一実施形態を示すプレイリスト再生処理におけるコンテンツの構成を示す図。
【図４】本発明の一実施形態を示すコンテンツ録画処理のフローチャートを示す図。
【図５】本発明の一実施形態を示すプレイリスト再生処理のフローチャートを示す図。
【符号の説明】
【００８３】
１…ＨＤＤレコーダ、１１５ａ…コンテンツ保存部、１１５ｂ…メタデータ保存部、１１
７ｄ…プレイリスト作成手段、１１７ｅ…予告部抽出手段、１１７ｆ…特徴量抽出手段、
１１７ｇ…映像検出手段。
【図１】
2010062870.tif 000003
【図２】
2010062870.tif 000004
【図３】
2010062870.tif 000005
【図４】
2010062870.tif 000006
【図５】
2010062870.tif 000007